(57)【要約】【課題】万一編組ほつれ部が発生した場合でも、編組のほつれを修正しながら編組露出部に圧着することができて、芯線と編組のショートを防止することのできる同軸ケーブル用のシールド端子を提供する。【解決手段】芯線Ｗａと、芯線の外周を覆う絶縁体Ｗｂと、絶縁体の外周を覆う編組Ｗｃと、編組の外周を覆う外皮Ｗｄと、を備えた同軸ケーブルＷの端末部に接続される同軸ケーブル用のシールド端子１０であって、外皮を除去して編組を露出させた編組露出部ＷＣに圧着される編組圧着部１２を有しており、その編組圧着部に、編組露出部の外径よりも内径が僅かに大きい筒状に形成され、圧着のために内部に同軸ケーブルの端末部が軸線方向に挿入された際に、編組露出部に発生した編組ほつれ部の通過を阻止する編組ほつれ修正部１５が設けられている。【選択図】図２
2014212078.tif 000002
【特許請求の範囲】
【請求項１】
芯線と、該芯線の外周を覆う絶縁体と、該絶縁体の外周を覆う編組と、該編組の外周を覆う外皮と、を備えた同軸ケーブルの端末部に接続される同軸ケーブル用のシールド端子であって、
前記同軸ケーブルの端末部の前記外皮を除去して前記編組を露出させた編組露出部に該編組露出部を外側から包み込むように圧着される編組圧着部を備え、
前記編組圧着部が、該編組露出部の外径よりも内径が僅かに大きい筒状に形成され、圧着のために内部に前記同軸ケーブルの端末部が軸線方向に挿入された際に、前記編組露出部に発生した編組ほつれ部の通過を阻止する編組ほつれ修正部を有することを特徴とする同軸ケーブル用のシールド端子。
【請求項２】
前記編組露出部は、前記同軸ケーブルの端末部の前記外皮を除去して前記編組を露出させ且つ該露出した編組を折り返して外皮に被せた部分であり、
前記筒状に形成された前記編組ほつれ修正部の内径が、前記外皮に被せた前記編組露出部の外径に対応して設定されている、
ことを特徴とする請求項１に記載の同軸ケーブル用のシールド端子。
【請求項３】
圧着前の前記編組圧着部は、前記編組露出部が載置される底板と、該底板の幅方向両側から延出する一対の編組加締片とを有する断面Ｕ字状に形成され、
前記編組ほつれ修正部が、前記底板及び前記編組加締片の一部を切り起こして筒状に丸めることで、前記底板上に形成されている、
ことを特徴とする請求項１または２に記載の同軸ケーブル用のシールド端子。
【発明の詳細な説明】
【技術分野】
【０００１】
本発明は、同軸ケーブルの編組に圧着接続される編組圧着部を備えた同軸ケーブル用のシールド端子に関するものである。
【背景技術】
【０００２】
アンテナ線などの高周波信号伝送に用いられる同軸ケーブルは、一般的に、中心導体としての芯線と、芯線の外周を覆う誘電体としての絶縁体と、誘電体の外周を覆う外部導体としての編組と、編組の外周を覆う外皮（絶縁シースともいう）と、を中心から外側に向けて順に備えている。
【０００３】
このような構成の同軸ケーブルには、相手側の機器や同軸ケーブル等に接続するために、その端末部に同軸コネクタが取り付けられる。同軸コネクタは、芯線を相手側同軸コネクタの中心導体に接続するためのインナー端子と、外部導体である編組を相手側同軸コネクタにアース接続して電磁波や静電気などの電気的ノイズを遮断するようにしたシールド端子とを有している。
【０００４】
図４（ａ）〜図４（ｄ）は同軸ケーブルの端末部にインナー端子を圧着する際の工程説明図、図５（ａ）及び図５（ｂ）はインナー端子を圧着した同軸ケーブルの端末の編組露出部にシールド端子を圧着する際の工程説明図である。
【０００５】
図４（ａ）に示すように、同軸ケーブルＷは、芯線Ｗａと、芯線Ｗａの外周を覆う絶縁体Ｗｂと、絶縁体Ｗｂの外周を覆う編組Ｗｃと、編組Ｗｃの外周を覆う外皮Ｗｄと、を備えている。この同軸ケーブルＷの端末部に同軸コネクタを取り付ける場合は、まず、図４（ａ）に示すように、ケーブル端末部に、先端側から順に、外皮Ｗｄと編組Ｗｃと絶縁体Ｗｂとを除去して芯線Ｗａを露出させた芯線露出部ＷＡと、外皮Ｗｄと編組Ｗｃとを除去して絶縁体Ｗｂを露出させた絶縁体露出部ＷＢと、外皮Ｗｄを除去して編組Ｗｃを露出させた編組露出部ＷＣと、を形成する。この際、一般的には図４（ｂ）に示すように、外皮Ｗｄを除去して露出させた編組Ｗｃを折り返して外皮Ｗｄに被せることで、その編組Ｗｃを被せた部分を編組露出部ＷＣとしている。
【０００６】
そして次に、図４（ｃ）及び図４（ｄ）に示すように、芯線露出部ＷＡに同軸コネクタのインナー端子５０の芯線圧着部５２を圧着する。ここまででインナー端子５０の取り付けが完了し、次にシールド端子の取り付けに移行する。
【０００７】
図５（ａ）に示すように、シールド端子１１０は、前部に、相手側同軸コネクタのシールド部材に接続する端子本体部１１１を有し、その後部に、編組露出部ＷＣに対して圧着される編組圧着部１１２を有している。編組圧着部１１２は、編組露出部ＷＣが載置される底板１１２ａと、該底板１１２ａの幅方向両側から延出する一対の編組加締片１１２ｂ、１１２ｃとを有する断面Ｕ字状に形成されており、この編組圧着部１１２を編組露出部ＷＣに圧着するには、図５（ａ）に示すように、インナー端子５０をシールド端子１１０の端子本体部１１１に挿入しながら、編組圧着部１１２の底板１１２ａの上に編組露出部ＷＣを載置する。そしてその状態で、図５（ｂ）に示すように、一対の編組加締片１１２ｂ、１１２ｃを順番に内側に丸めて加締めることで、シールド端子１１０を同軸ケーブルＷの端末部に取り付けている。
【０００８】
このような構成のシールド端子の従来例は、特許文献１に記載されている。
【先行技術文献】
【特許文献】
【０００９】
【特許文献１】特開２０１２−２２１６６１号公報
【発明の概要】
【発明が解決しようとする課題】
【００１０】
ところで、編組Ｗｃは多数本の細線を編んだものであるから、図６に示すように、編組露出部ＷＣに編組Ｗｃのほつれ部（以下、編組ほつれ部Ｗｃｐと言う）が発生することがある。特に、編組Ｗｃを折り返して外皮Ｗｄに被せるときに編組ほつれ部Ｗｃｐが発生することがある。このような編組ほつれ部Ｗｃｐが発生すると、同軸コネクタを取り付ける際に、編組ほつれ部Ｗｃｐと芯線Ｗａやインナー端子５０とが接触して、編組Ｗｃと芯線Ｗａがショートするおそれがある。
【００１１】
本発明は、上述した事情に鑑みてなされたものであり、その目的は、万一編組ほつれ部が発生した場合でも、編組のほつれを修正しながら編組露出部に圧着することができて、芯線と編組のショートを防止することのできる同軸ケーブル用のシールド端子を提供することにある。
【課題を解決するための手段】
【００１２】
前述した目的を達成するために、本発明に係る同軸ケーブル用のシールド端子は、下記（１）〜（３）を特徴としている。
（１）  芯線と、該芯線の外周を覆う絶縁体と、該絶縁体の外周を覆う編組と、該編組の外周を覆う外皮と、を備えた同軸ケーブルの端末部に接続される同軸ケーブル用のシールド端子であって、
前記同軸ケーブルの端末部の前記外皮を除去して前記編組を露出させた編組露出部に該編組露出部を外側から包み込むように圧着される編組圧着部を備え、
前記編組圧着部が、該編組露出部の外径よりも内径が僅かに大きい筒状に形成され、圧着のために内部に前記同軸ケーブルの端末部が軸線方向に挿入された際に、前記編組露出部に発生した編組ほつれ部の通過を阻止する編組ほつれ修正部を有すること。
（２）  上記（１）の構成の同軸ケーブル用のシールド端子であって、
前記編組露出部は、前記同軸ケーブルの端末部の前記外皮を除去して前記編組を露出させ且つ該露出した編組を折り返して外皮に被せた部分であり、
前記筒状に形成された前記編組ほつれ修正部の内径が、前記外皮に被せた前記編組露出部の外径に対応して設定されている、
こと。
（３）  上記（１）または（２）の構成の同軸ケーブル用のシールド端子であって、
圧着前の前記編組圧着部は、前記編組露出部が載置される底板と、該底板の幅方向両側から延出する一対の編組加締片とを有する断面Ｕ字状に形成され、
前記編組ほつれ修正部が、前記底板及び前記編組加締片の一部を切り起こして筒状に丸めることで、前記底板上に形成されている、
こと。
【００１３】
上記（１）の構成のシールド端子によれば、圧着の際に同軸ケーブルの端末部を筒状の編組ほつれ修正部に挿入することにより、編組露出部に万一編組ほつれ部が発生していたとしても、その編組ほつれ部が編組ほつれ修正部に引っ掛かることで、編組ほつれ部を強制的に修正することができる。従って、編組ほつれ部が芯線やインナー端子に接触するおそれを無くすことができ、芯線と編組のショートを防ぐことができる。
上記（２）の構成のシールド端子によれば、編組を折り返して外皮に被せた編組露出部の外径に対応して編組ほつれ修正部の内径が設定されているので、編組を折り返す際に発生した編組ほつれ部を確実に修正することができる。
上記（３）の構成のシールド端子によれば、編組ほつれ修正部が、底板及び編組加締片の一部を切り起こして筒状に丸めることで形成されているので、編組ほつれ修正部を別に製作して編組圧着部に取り付けるのと違って、簡単に製作することができる。また、編組ほつれ修正部が編組圧着部の底板上に形成されているので、底板の上面に沿って同軸ケーブルの端末部を筒状の編組ほつれ修正部に挿入するだけで、編組ほつれ部を簡単に修正することができる。また、同軸ケーブルの端末部を編組ほつれ修正部に挿入することで、底板の上面に編組露出部を載置することができるので、その状態で、一対の編組加締片を加締めるだけで、編組露出部に編組圧着部を圧着接続することができる。
【発明の効果】
【００１４】
本発明によれば、万一編組ほつれ部が発生した場合でも、編組のほつれを修正しながら編組露出部にシールド端子を圧着することができて、芯線と編組のショートを防止することができる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１（ａ）から図１（ｃ）は、本発明の実施形態のシールド端子の構成図で、図１（ａ）は斜視図、図１（ｂ）は図１（ａ）のＩｂ−Ｉｂ矢視断面図、図１（ｃ）は図１（ｂ）のＩｃ−Ｉｃ矢視断面図である。
【図２】図２（ａ）から図２（ｃ）は、本発明の実施形態のシールド端子を、インナー端子が取り付けられた同軸ケーブルの端末部に圧着する際の工程説明図である。
【図３】図３（ａ）及び図３（ｂ）は、本発明の実施形態のシールド端子の変形例を示す図で、図３（ａ）は展開図、図３（ｂ）は、同軸ケーブルの編組露出部に圧着接続した時のケーブル側の構成を図示省略して端子だけを図示した状態を示す側面図、図３（ｃ）は図３（ｂ）のＩＩＩｃ−ＩＩＩｃ矢視断面図である。
【図４】図４（ａ）から図４（ｄ）は、同軸ケーブルの端末部にインナー端子を圧着する際の工程説明図である。
【図５】図５（ａ）及び図５（ｂ）は、インナー端子を圧着した同軸ケーブルの端末の編組露出部に従来のシールド端子を圧着する際の工程説明図である。
【図６】図６は、同軸コネクタの端末処理部に編組ほつれ部が発生した状態を示す側面図である。
【発明を実施するための形態】
【００１７】
以下、本発明の実施形態を図面を参照して説明する。
図１は実施形態のシールド端子の構成図で、図１（ａ）は斜視図、図１（ｂ）は図１（ａ）のＩｂ−Ｉｂ矢視断面図、図１（ｃ）は図１（ｂ）のＩｃ−Ｉｃ矢視断面図、図２（ａ）から図２（ｃ）は、本発明の実施形態のシールド端子を、インナー端子が取り付けられた同軸ケーブルの端末部に圧着する際の工程説明図である。
【００１８】
図１（ａ）から図１（ｃ）に示す実施形態のシールド端子１０は、図２（ｃ）に示すように、インナー端子５０と共に同軸コネクタ１を構成するものであり、同軸ケーブルＷの端末処理部の編組露出部ＷＣに圧着接続される。なお、シールド端子１０とインナー端子５０との間に、図示しない誘電体が介在されることもある。
【００１９】
同軸ケーブルＷは、図２（ａ）に示すように、芯線Ｗａと、芯線Ｗａの外周を覆う絶縁体Ｗｂと、絶縁体Ｗｂの外周を覆う編組Ｗｃと、編組Ｗｃの外周を覆う外皮Ｗｄとを備えており、中心から外側に向かって芯線Ｗａ、絶縁体Ｗｂ、編組Ｗｃ、外皮Ｗｄの順で配置されている。ケーブル端末部には先端側から順に、外皮Ｗｄと編組Ｗｃと絶縁体Ｗｂとを除去して芯線Ｗａを露出させた芯線露出部ＷＡと、外皮Ｗｄと編組Ｗｃとを除去して絶縁体Ｗｂを露出させた絶縁体露出部ＷＢと、外皮Ｗｄを除去して編組Ｗｃを露出させ且つ露出した編組Ｗｃを折り返して外皮Ｗｄに被せた編組露出部ＷＣとが形成されており、同軸ケーブルＷの先端の芯線露出部ＷＡに、ピン状のインナー端子５０が取り付けられている。
【００２０】
一方、図１（ａ）から図１（ｃ）に示すように、シールド端子１０は、１枚の金属板体１３をプレス成形することで構成され、前部の四角筒状の端子本体１１とその後部の編組圧着部１２とを備えている。編組圧着部１２は、同軸ケーブルＷの編組露出部ＷＣに該編組露出部ＷＣを外側から包み込むように圧着される部分である。編組圧着部１２は、編組Ｗｃを外皮Ｗｄに被せた部分に加締められるため、外皮を加締める外被加締部としても機能する。
【００２１】
圧着前の編組圧着部１２は、編組露出部ＷＣの載置される底板１２ａと、底板１２ａの幅方向両側から延出する一対の編組加締片１２ｂ、１２ｃとを有する断面Ｕ字状に形成されている。この編組圧着部１２には、編組露出部ＷＣ（同軸ケーブルＷの端末部の外皮Ｗｄを除去して編組Ｗｃを露出させ且つ露出した編組Ｗｃを折り返して外皮Ｗｄに被せた部分）の外径よりも内径が僅かに大きい筒状の編組ほつれ修正部１５が設けられている。
【００２２】
編組ほつれ修正部１５は、圧着のために内部に同軸ケーブルＷの端末部が軸線方向に挿入された際に、編組露出部ＷＣに発生した編組ほつれ部Ｗｃｐ（図５参照）の通過を阻止して、編組Ｗｃのほつれを強制的に修正する機能を果たす部分である。編組ほつれ修正部１５は、底板１２ａ及び編組加締片１２ｂ、１２ｃを構成する金属板体１３の一部に切り込み１４を入れ、その切り込み１４の内側を引き起こして筒状に丸めることで、底板１２ａ上に形成されている。
【００２３】
具体的には、編組圧着部１２を構成する金属板体１３に軸線方向と直交する方向に長いコ字状の切り込み１４を入れる。この切り込み１４は、一方の編組加締片１２ｂの底板１２ａとの境界に近い位置（一方の編組加締片１２ｂの基端部の近く）から他方の編組加締片１２ｃの底板１２ａとの境界に近い位置（他方の編組加締片１２ｃの基端部の近く）まで延びている。そして、切り込みの無い連結部分１５ａを支点にして、そのコ字状の切り込み１４の内側の部分を底板１２ａの上方に引き起こし、さらに引き起こした部分を先端側から下向きに丸めて筒状に成形することで、内部が軸線方向に貫通した挿通孔１６となった編組ほつれ修正部１５が形成されている。また、この編組ほつれ修正部１５の内径は、編組露出部ＷＣの外径よりも僅かに大きく設定されている。また、図１（ｃ）に示すように、編組ほつれ修正部１５の下端が、切り込み１４によってできる空所の内部に収まることで、編組ほつれ修正部１５の下端の内周が底板１２ａの上面と面一になっている。
【００２４】
このシールド端子１０を用いる場合は、図４（ａ）から図４（ｄ）を用いて先に説明したように、まず、同軸ケーブルＷの端末処理部の芯線露出部ＷＡにインナー端子５０を圧着する。次に、図２（ａ）に示すように、同軸ケーブルＷの端末部のインナー端子５０を、軸線方向から矢印Ａで示すようにシールド端子１０の編組ほつれ修正部１５に挿入し、さらに図２（ｂ）に示すように、編組露出部ＷＣを筒状の編組ほつれ修正部１５の内部に挿入する。
【００２５】
この際、編組露出部ＷＣに万一編組ほつれ部Ｗｃｐ（図５参照）が発生している場合でも、その編組ほつれ部Ｗｃｐが、編組ほつれ修正部１５に図２（ｂ）中の二点鎖線Ｃで示す位置で引っ掛かる。従って、その後さらに編組露出部ＷＣを編組ほつれ修正部１５に挿入しながらインナー端子５０を定位置まで挿入することにより、編組ほつれ修正部１５によって編組ほつれ部Ｗｃｐの通過を阻止して編組ほつれ部Ｗｃｐを強制的に修正することができる。その後は、図２（ｃ）に示すように、編組加締片１２ｂ、１２ｃを順番に内側に丸めて加締めることにより、編組ほつれ修正部１５を介して編組圧着部１２を編組露出部ＷＣに圧着接続することができる。
【００２６】
このように、編組ほつれ修正部１５に編組露出部ＷＣを挿入する際に、万一編組ほつれ部Ｗｃｐがあっても、それを修正することができるので、編組ほつれ部Ｗｃｐが芯線Ｗａやインナー端子５０に接触するおそれを無くすことができ、芯線Ｗａと編組Ｗｃのショートを防ぐことができる。
【００２７】
この場合、編組Ｗｃを折り返して外皮Ｗｄに被せた編組露出部ＷＣの外径に対応して編組ほつれ修正部１５の内径が設定されているので、編組Ｗｃを折り返す際に発生した編組ほつれ部Ｗｃｐを確実に修正することができる。
【００２８】
また、編組ほつれ修正部１５が、編組圧着部１２を構成する金属板体１３の一部を切り起こして筒状に丸めることで形成されているので、編組ほつれ修正部１５を別に製作して編組圧着部１２に取り付けるのと違って、簡単に製作することができる。また、編組ほつれ修正部１５が編組圧着部１２の底板１２ａ上に形成されているので、底板１２ａの上面に沿って同軸ケーブルＷの端末部を筒状の編組ほつれ修正部１５に挿入するだけで、編組ほつれ部Ｗｃｐを簡単に修正することができる。また、同軸ケーブルＷの端末部を編組ほつれ修正部１５に挿入することで、底板１２ａの上面に編組露出部ＷＣを載置することができるので、その状態で一対の編組加締片１２ｂ、１２ｃを加締めるだけで、編組露出部ＷＣに編組圧着部１２を圧着接続することができる。
【００２９】
図３（ａ）から図３（ｃ）は、本発明の実施形態のシールド端子の変形例を示す図で、図３（ａ）は展開図、図３（ｂ）は同軸ケーブルの編組露出部に圧着接続した時のケーブル側の構成を図示省略して端子だけを図示した状態を示す側面図、図３（ｃ）は図３（ｂ）のＩＩＩｃ−ＩＩＩｃ矢視断面図である。
【００３０】
図３（ｂ）、図３（ｃ）に示すこの変形例のシールド端子１０Ａでは、図３（ａ）の展開図に示すように、編組ほつれ修正部１５を作るためのコ字状の切り込み１４が、一方の編組加締片１２ｂの先端付近から他方の編組加締片１２ｃの先端付近まで長く延びており、編組ほつれ修正部１５の周長が、一方の編組加締片１２ｂの先端から他方の編組加締片１２ｃの先端までの長さ寸法に対して、図１の実施形態に比べ、大きめに設定されている。このように、切り込み１４の長さを変更することで、編組ほつれ修正部１５の周長を変えて、編組ほつれ修正部１５の挿通孔１６の大きさを自由に変更することができる。その他の作用効果については、図１及び図２に示した実施形態のシールド端子１０と同様である。
【００３１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
例えば、上記実施形態では、筒状の編組ほつれ修正部１５を、編組圧着部１２を構成する金属板体１３の一部を切り起こすことで形成した場合を示したが、筒状の編組ほつれ修正部１５を別に製作して、編組圧着部１２の底板１２ａの上に接着するなどして取り付けることも可能である。
【符号の説明】
【００３３】
１  同軸コネクタ
１０，１０Ａ  シールド端子
１２  編組圧着部
１２ａ  底板
１２ｂ，１２ｃ  編組加締部
１３  金属板体
１４  切り込み
１５  編組ほつれ修正部
Ｗ  同軸ケーブル
Ｗａ  芯線
ＷＡ  芯線露出部
Ｗｂ  絶縁体
Ｗｃ  編組
ＷＣ  編組露出部
Ｗｄ  外皮
【図１】
2014212078.tif 000003
【図２】
2014212078.tif 000004
【図３】
2014212078.tif 000005
【図４】
2014212078.tif 000006
【図５】
2014212078.tif 000007
【図６】
2014212078.tif 000008